(57)【要約】【課題】保持器の不安定な挙動を抑制しつつ、さらに摩擦損失を低減させた転がり軸受を提供する。【解決手段】内輪と、外輪と、前記内輪と前記外輪との間に設けられた複数の転動体と、当該転動体を保持するための保持器とを備えた転がり軸受であって、前記保持器と前記転動体との間もしくは前記保持器と前記内輪または前記外輪との間に、弾力性のある緩衝材が設けられている。この緩衝材は、例えば、保持器に設けられた弾力性のある毛細状の突起である。【選択図】図1
2015075195.tif 000002
【特許請求の範囲】
【請求項１】
内輪と、外輪と、前記内輪と前記外輪との間に設けられた複数の転動体と、当該転動体を保持するための保持器とを備えた転がり軸受であって、
前記保持器と前記転動体との間もしくは前記保持器と前記内輪または前記外輪との間に、弾力性のある緩衝材が設けられていることを特徴とする転がり軸受。
【請求項２】
前記緩衝材は、前記保持器に設けられた弾力性のある毛細状の突起である請求項１に記載の転がり軸受。
【発明の詳細な説明】
【技術分野】
【０００１】
本発明は、例えばファンモータや自動車等に用いられるような静音性が要求される用途や、工作機械主軸や航空機等に用いられるような高速回転仕様に好適な用途に用いられる転がり軸受に関し、より詳しくは、保持器の振動を防止できるように改良された転がり軸受に関する。
【背景技術】
【０００２】
転がり軸受は、一般に、外周面に内輪軌道を有する内輪と、内周面に外輪軌道を有する外輪と、内輪軌道と外輪軌道との間に転動自在に設けられた複数の転動体と、複数の転動体を保持する保持器と、を備える。転がり軸受の回転に伴い運動方向と直交する方向に摩擦力が生じると、特に保持器上に転動体が等配されている場合、保持器が回転数の数倍から数十倍で不規則に振動する自励振動が発生する場合がある。
【０００３】
このような自励振動は騒音の原因となるため、静音性が要求されるファンモータや自動車等に使用される軸受においては好ましくない。また、軸受が工作機械主軸や航空機等に使用され、高速回転が要求される場合には、このような振動により保持器にかかる荷重が増大する結果、保持器の損傷が生じるおそれがある。また、軸受が工作機械主軸等に使用される場合、加工精度に影響を与えるおそれもある。
【０００４】
このような保持器の振動を低減するため、従来、保持器ポケット内面に突出部を設け、かかる突出部によって転動体を保持することで、保持器の振動ひいては軸受の振動を防止する技術が提案されている（例えば、特許文献１参照）。
【先行技術文献】
【特許文献】
【０００５】
【特許文献１】特開２００３−２３２３６１号公報
【発明の概要】
【発明が解決しようとする課題】
【０００６】
特許文献１に記載の技術は、高剛性で靭性の少ない樹脂製の保持器のポケット面から突出した突出部で転動体を保持して保持器の動きを抑制しようとするが、このような保持器の動きを抑制するには保持器の突出部と転動体との間の隙間を無くすかマイナスとすることが必要である。しかしながら、この隙間がマイナスで転動体に保持器が押圧された状態の場合、保持器音の発生は回避できるが、高剛性で靭性の少ない突出部と転動体の接触部には大きな押圧力が加わることで、転動体が回転する際の摩擦抵抗が大きくなり、摩擦損失が大きくなってしまうという問題がある。
【０００７】
本発明は上記事情を鑑みてなされたものであり、その目的は、保持器の不安定な挙動を抑制しつつ、さらに摩擦損失を低減できる転がり軸受を提供することである。
【課題を解決するための手段】
【０００８】
本発明の上記目的は、下記の構成により達成される。
（１）内輪と、外輪と、前記内輪と前記外輪との間に設けられた複数の転動体と、当該転動体を保持するための保持器とを備えた転がり軸受であって、
前記保持器と前記転動体との間もしくは前記保持器と前記内輪または前記外輪との間に、弾力性のある緩衝材が設けられていることを特徴とする転がり軸受。
（２）前記緩衝材は、前記保持器に設けられた毛細状の突起である（１）に記載の転がり軸受。
【発明の効果】
【０００９】
本発明の転がり軸受によれば、保持器と転動体との間もしくは保持器と内輪または外輪との間に弾力性のある緩衝材が設けられていることにより、転動体と保持器との衝突もしくは保持器と内輪または外輪との衝突か緩和される。これにより、保持器の振動が抑制され、保持器音の発生を回避できる。又、保持器と転動体もしくは内輪または外輪との間の摩擦力が低減され、摩擦損失を低減することができる。
【図面の簡単な説明】
【００１０】
【図１】（ａ）は本発明の第１実施形態の転がり軸受の部分正面図、（ｂ）は（ａ）の内輪を省略したＡ方向矢視図、
【図２】本発明の各実施形態に使用される緩衝材の保持器への取付け方法を概念的に示した説明図、
【図３】（ａ）は本発明の第２実施形態の転がり軸受の断面図、（ｂ）は（ａ）の転がり軸受に使用されている保持器の斜視図、
【図４】（ａ）は本発明の第３実施形態の転がり軸受の断面図、（ｂ）は（ａ）の転がり軸受に使用されている保持器の斜視図である。
【発明を実施するための形態】
【００１１】
以下、本発明の実施の形態を図面に基き説明する。
【００１２】
（第１実施形態）
図１（ａ）は、本発明に係る転がり軸受１の部分正面図、（ｂ）は（ａ）の内輪を省略したＡ方向矢視図、図２は緩衝材７の保持器５への取付け方法を概念的に示した説明図である。転がり軸受１は、外周に軌道面２ａが形成された内輪２と、内周に軌道面３ａが形成された外輪３と、内輪２と外輪３との間に設けられた複数の転動体である玉４と、この玉４を周方向で所定間隔に保持するための保持器５とを備えている。
【００１３】
内輪２、外輪３、および玉４は好ましくは軸受鋼（例えばＳＵＪ２）製とされ、これに対し保持器５は、好ましくは合成樹脂製とされている。保持器５の材料としては、例えばポリアミド系樹脂、ポリフェニレンサルファイド（ＰＰＳ）、ポリエーテルエーテルケトン（ＰＥＥＫ）、等の樹脂や、これら樹脂に強化繊維（例えば、ガラス繊維や炭素繊維。）を添加した樹脂組成物が用いられる。
【００１４】
保持器５には、玉４を収容するためのポケット６が形成されており、保持器５はポケット６に収容された玉４に案内される転動体案内タイプである。このポケット６の内周面６ａ（図１（ｂ）参照）には、適宜間隔で弾力性のある緩衝材としての毛細状の突起（ブラシ）７が設けられている。このブラシ７は、図１（ａ）（ｂ）に示すように、ポケット６の内周面一帯に設けられていることが好ましい。しかし、必ずしも玉４と接触可能な部分全域に均等に設けられている必要はなく、ポケット内周面６ａと玉４との直接接触を緩和するのに必要な箇所に、必要な量が設けられていればよい。
【００１５】
図２は、このブラシ７の保持器５への取付け方法の一例を示したものである。ブラシ７は事前に略Ｖ字状に屈曲され、かかるブラシ７を保持器５に形成された保持孔５ａ内に位置させる。次いで、保持ピース８を保持孔５ａ内に押し込み嵌合させる。保持ピース８が保持孔５ａから抜け出ない状態で嵌合していることで、ブラシ７は保持器５からほぼ直立した状態に維持される。
【００１６】
かかる保持器５を用いたころがり軸受１にあっては、保持器５に設けられたブラシ７が玉４との間の緩衝材となって、玉４が直接、保持器ポケット内周面６ａと当接するのを防止又は低減することができる。そのため、保持器５の自励振動は回避又は低減され、保持器音の発生を回避できる。
【００１７】
又玉４と保持器５とはブラシ７を介して接触するが、このブラシ７は弾力性が大きく弾性力は小さいので、玉４と保持器５間の摩擦力が低減され、摩擦損失を低減することができる。
【００１８】
（第２実施形態）
図３（ａ）は、本発明の第２実施形態の転がり軸受２１の断面図、（ｂ）は（ａ）の転がり軸受２１に使用されている保持器２５の斜視図である。尚、以下の実施形態の説明においては、第１実施形態と同一の構成については同一の符号又は類似符号を付して詳細な説明は省略する。
【００１９】
本実施形態が上述の第１実施形態と異なるところは、緩衝材としてのブラシ２７が、保持器２５と内輪との間に設けられていることである。保持器２５は内輪外周面２ｂに案内される内輪案内タイプである。内輪外周面２ｂと対向する保持器２５のベース部２５ｂには、適宜間隔をもってブラシ２７が設けられている。このブラシ２７は  必ずしもベース部２５ｂの内周面全周に設けられる必要はなく、保持器２５の内輪２への当接が回避又は抑制される範囲に設けられていればよい。
【００２０】
本実施形態では、保持器２５の内輪２への当接が回避又は抑制されることで、保持器２５の自励振動は回避又は低減され、保持器音の発生を回避できる。
又内輪２と保持器２５とはブラシ２７を介して接触するが、このブラシ２７は弾力性が大きく弾性力は小さいので、内輪と保持器間の摩擦力が低減され、摩擦損失を低減することができる。
【００２１】
（第３実施形態）
図４（ａ）は、本発明の第３実施形態の転がり軸受３１の断面図、（ｂ）は（ａ）の転がり軸受３１に使用されている保持器３５の斜視図である。
【００２２】
前述の第２実施形態と異なるところは、保持器３５は外輪内周面３ｂに案内される外輪案内タイプであり、外輪内周面３ｂと対向する保持器３５のベース部３５ｂに、適宜間隔をもってブラシ３７が設けられていることである。かかる構成によっても、第２実施形態と同様な効果を得ることが出来る。
【００２３】
尚、本発明は、前述した実施形態に限定されるものではなく、適宜変更、改良等が可能である。例えば、上記実施形態では、転がり軸受が玉軸受であるものとして説明したが、円筒ころ軸受や円すいころ軸受等の任意の転がり軸受についても好適に適用することができる。
また、弾性力のある緩衝材は、薄いシート状の突起であってもよい。
【符号の説明】
【００２４】
１、２１、３１  転がり軸受
２  内輪
３  外輪
４  玉
５、２５、３５  保持器
７、２７、３７  ブラシ
【図１】
2015075195.tif 000003
【図２】
2015075195.tif 000004
【図３】
2015075195.tif 000005
【図４】
2015075195.tif 000006